(57)【特許請求の範囲】
【請求項１】
複数枚の防水紙と、
前記複数枚の防水紙を綴じる綴じ部と、
を備え、
前記複数枚の防水紙は、それぞれ前記綴じ部の反対側において一部が切り取られ、一部が表面に露出する露出部を有し、
前記複数枚の防水紙は、切り取られる部分を有していない表紙および裏表紙を含み、
前記露出部は、前記表紙を開き、かつ前記表紙以外を開いていない状態で一番上の頁に直交する方向から見たときに、前記複数枚の防水紙のそれぞれの一部が表面に露出する部分であり、
前記表紙および裏表紙の間には、前記表紙および前記裏表紙を開いていない状態で前記表紙および前記裏表紙を除く前記複数枚の防水紙が存在しない空間が存在する、
防災用製本物。
【請求項２】
前記複数枚の防水紙は、それぞれ厚みが１００μｍ以下である、
請求項１に記載の防災用製本物。
【発明の詳細な説明】
【技術分野】
【０００１】
本発明は、災害時に利用する防災用製本物に関する。
【背景技術】
【０００２】
特許文献１には、災害に遭遇したときに備えて、水に強く破れにくい防水性の高い紙を用いた手帳が開示されている。
【０００３】
また、特許文献２には、全体をラミネートフィルムにより被覆することで、災害時にも利用することができる防災マニュアル用カードが開示されている。
【先行技術文献】
【特許文献】
【０００４】
【特許文献１】実用新案登録第３０１８５６４号公報
【特許文献２】実用新案登録第３１０６２２５号公報
【発明の概要】
【発明が解決しようとする課題】
【０００５】
しかし、製本物を構成する複数の紙は、水に濡れると、表面張力により互いに張り付いて分離できなくなってしまう。特許文献１および特許文献２は、いずれも、防水性の高い紙を用いることで、紙そのものは水に濡れても問題無く利用できる。しかし、防水性の高い紙であっても、製本物にした場合に、水に濡れると互いに張り付いてしまうことは変わらない。そのため、水害に被災した場合には各頁をめくることが難しくなり、防災備品として用いることができなくなる。
【０００６】
また、災害発生時には軍手をはめる場合があるが、軍手をはめたまま目的のページをめくることは非常に難しい。
【０００７】
そこで、本発明は、災害時にも容易に目的の頁をめくることができ、防災備品として用いることができる防災用製本物を提供することを目的とする。
【課題を解決するための手段】
【０００８】
本発明の防災用製本物は、複数枚の防水紙と、前記複数枚の防水紙を綴じる綴じ部と、を備えている。そして、前記複数枚の防水紙は、それぞれ前記綴じ部の反対側において一部が切り取られ、一部が表面に露出する露出部を有する。
【０００９】
この様に、本発明の防災用製本物は、各防水紙に露出部を有するため、たとえ複数の防水紙が水に濡れて張り付いたとしても、容易に目的の頁を開くことができる。特に、電気製品は、災害により停電したり、水害に被災して水没したり、バッテリー切れ等により使えなくなることが多いが、本発明の防災用製本物は、水害に被災した場合でも容易に目的のページを開くことができ、記載内容を参照したり、新たに記載を追加することも容易である。したがって、本発明の防災用製本物は、防災用の備品として非常に優れた機能を発揮する。
【００１０】
なお、切り取りは、全ての防水紙に対して設けられている必要はない。例えば、表紙または裏表紙には、切り取り部分がなくてもよい。
【発明の効果】
【００１１】
本発明によれば、災害時にも容易に各頁をめくることができる。したがって、本発明の防災用製本物は、防災備品として用いることができる。
【図面の簡単な説明】
【００１２】
【図１】防災用製本物の構成を示す模式図である。
【図２】防災用製本物の構成を示す模式図である。
【図３】変形例１に係る防災用製本物の構成を示す模式図である。
【図４】変形例２に係る防災用製本物の構成を示す模式図である。
【発明を実施するための形態】
【００１３】
図１（Ａ）は、本発明の実施形態に係る製本物の模式図である。本実施形態の製本物１は、複数枚の防水紙１０と、複数枚の防水紙１０を綴じる綴じ部１１と、を備える。
【００１４】
図１（Ａ）および図１（Ｂ）に示す様に、防水紙１０は、平面視して長方形状である。ただし、本発明の防災用製本物において、防水紙１０の平面視した形状は、長方形状に限らない。防水紙１０は、平面視して正方形状であってもよいし、円形状あるいは多角形状であってもよい。
【００１５】
防水紙１０の２つの長辺のうち、一方の長辺には、綴じ部１１が配置されている。綴じ部１１は、複数枚の防水紙１０の長辺部分を接着する接着剤を含む。なお、本実施形態において、表紙および裏表紙は、１枚の防水紙１０からなる。表紙または裏表紙を構成する防水紙１０は、綴じ部１１の箇所で折り曲げられ、綴じ部１１の表面、背面、および裏面を覆う様に構成されている。無論、本発明において、表紙および裏表紙は、それぞれ別の防水紙１０で構成されていてもよい。
【００１６】
防水紙１０の２つの長辺のうち、他方の長辺には、露出部１３が配置されている。露出部１３は、図１（Ｂ）および図１（Ｃ）に示す様に、防水紙１０の一部の領域５０を切り取ることにより構成される。これにより、複数枚の防水紙１０は、一部が表面に露出する。なお、領域５０の切り取りは、全頁に対して行なってもよいし、一部の頁に対して行なってもよい。また、切り取りの形状は、どの様な形状であってもよい。さらに、各頁は、異なる形状で切り取られてもよいし、同じ形状で切り取られてもよい。
【００１７】
図２に示す様に、利用者は、露出部１３を抑えたり摘まんだりすることで、目的のページを容易にめくることができる。
【００１８】
防水紙１０は、防水性を有する紙であればどの様な構成であってもよい。防水紙１０は、例えば、ポリオレフィン等の合成樹脂からなる。合成樹脂は、多数の空孔を有することで、白色性、印刷性、および筆記適性を有する。また、防水紙１０は、無機フィラー分散系の複合材料等であってもよい。防水紙１０の露出部１３には、頁番号等の見出しが印刷されていてもよい。見出しを印刷することで、露出部１３は、インデックスとして機能する。
【００１９】
防水紙１０の厚みは、例えば５０μｍ〜１００μｍである。ただし、本発明において、防水紙１０の厚みは限定されない。
【００２０】
防水紙１０には、カレンダー、住所を記入する欄、電話番号を記入する欄、地図、または罫線等が印刷されていてもよい。無論、白紙であってもよい。
【００２１】
製本物１は、この様な複数の防水紙１０を綴じ部１１で綴じることで構成される。製本は、通常の紙を製本する場合と同様に、折り、丁合、綴じ、および背加工などにより行われる。製本物１は、例えば、手帳、アドレス帳、ノート、またはメモ帳等に用いることができる。各防水紙１０に印刷を行なう場合には、製本前に行なう。製本の後、綴じ部１１の反対側の一部の領域５０を切り取ることで、露出部１３を構成する。
【００２２】
なお、露出部１３に対する印刷は、製本後に行なうことが好ましい。防水紙１０は、印刷または製本の過程において縮んだり、位置のズレ（誤差）が生じる。このため、製本後に露出部１３を構成し、かつ露出部１３に印刷を行なうことが好ましい。これにより、本実施形態の製本物１は、防水紙１０の不規則な縮み、および位置のズレ（誤差）に影響されることなく、整った文字１４を印刷することができる。
【００２３】
そして、本実施形態の製本物１は、各防水紙１０に露出部１３を有するため、たとえ複数の防水紙１０が水に濡れて表面張力により張り付いたとしても、容易に目的の頁を開くことができる。
【００２４】
電気製品は、水害に被災して水没すると使えなくなる。また、仮に電気製品そのものに問題はなくとも、災害により停電が発生して通信ができなくなったり、バッテリー切れ等により利用できなくなる場合もある。しかし、本実施形態の製本物１は、防水紙１０を備えるため、水害に被災した場合でも利用することができ、かつ露出部１３により、容易に目的のページを開くことができる。また、本実施形態の製本物１は、停電等が生じても製本物としての機能は全く損なわれない。無論、本実施形態の製本物１は、バッテリー切れを起こして利用できなくなることもない。また、災害発生時には軍手をはめる場合があるが、本実施形態の製本物１によれば、軍手をはめていても露出部１３により目的のページを容易にめくることができる。これにより、利用者は、災害、特に水害に被災した場合でも、製本物１に記載された内容を参照する、あるいは、新たに記載を追加することも容易である。
【００２５】
したがって、利用者は、例えば、本実施形態の製本物１に、災害発生時の行動マニュアル、緊急連絡先、または利用者自身の情報等を記載しておき、万が一災害に遭遇したときに備えて本実施形態の製本物１を所持しておくことで、製本物１を、防災用の備品として用いることができる。この様に、本実施形態の製本物１は、災害用の備品として非常に優れた機能を発揮する。なお、本実施形態で言う防災とは、災害、特に水災が発生した場合に被害を防ぐ、または低減させることを含む概念である。
【００２６】
図３は、変形例１に係る防災用製本物の構成を示す模式図である。変形例１に係る製本物１Ａは、表紙１０Ａを備えている。その他の構成は、図１（Ａ）に示した製本物１と同様である。
【００２７】
表紙１０Ａは、他の防水紙１０と同様に防水性を有する。表紙１０Ａは、裏表紙とあわせて１枚の紙からなり、綴じ部１１の表面、背面、および裏面を覆う様に構成されている。無論、表紙１０Ａおよび裏表紙は、それぞれ別の防水紙で構成されていてもよい。
【００２８】
表紙１０Ａには、露出部１３が設けられていない。しかし、内側に配置される防水紙１０には、露出部１３が設けられているため、表紙１０Ａおよび裏表紙との間には、空間が存在する。したがって、利用者は、表紙１０Ａだけを摘まんで容易にめくることができる。
【００２９】
この様に、露出部１３は、全ての防水紙に設ける必要はない。
【００３０】
次に、図４は、変形例２に係る防災用製本物の構成を示す模式図である。変形例２に係る製本物１Ｂは、リングおよび孔により構成された綴じ部１１Ａを備えている。
【００３１】
この様に、本発明の綴じ部は、接着剤で接着する例に限らない。
【００３２】
本実施形態の説明は、すべての点で例示であって、制限的なものではないと考えられるべきである。本発明の範囲は、上述の実施形態ではなく、特許請求の範囲によって示される。さらに、本発明の範囲は、特許請求の範囲と均等の範囲を含む。
【００３３】
なお、本実施形態の製本物は、防災用途に限らない。本実施形態の製本物は、水害に被災していない状況で水に濡れた場合でも、目的の頁を容易にめくることができる効果を発揮する。例えば、本実施形態の製本物は、水道工事等の水に触れる作業に対するマニュアルとして用いることもできる。この場合も、製本物は、水に濡れても目的の頁を容易にめくることができる効果を発揮する。したがって、作業者は、水に濡れた場合でも、本実施形態の製本物をマニュアルとして参照しながら作業を行なうことができる。また、本実施形態の製本物は、上述の軍手のように、作業用の保護手袋をはめる場合や、寒冷地で防寒用に手袋をはめる場合でも、目的のページを容易にめくることができる。
【符号の説明】
【００３４】
１，１Ａ，１Ｂ…製本物
１０…防水紙
１０Ａ…表紙
１３…露出部
１４…文字
５０…領域
【要約】
【課題】水に濡れた場合でも各頁をめくることができ、防災備品として用いることができる防災用製本物を提供する。
【解決手段】防災用製本物は、複数枚の防水紙と、前記複数枚の防水紙を綴じる綴じ部と、を備えている。そして、前記複数枚の防水紙は、それぞれ前記綴じ部の反対側において一部が切り取られ、一部が表面に露出する露出部を有する。
【選択図】  図１【図１】
0006725947.tif 000002
【図２】
0006725947.tif 000003
【図３】
0006725947.tif 000004
【図４】
0006725947.tif 000005